(57)【要約】【課題】店員等の所定の者だけが素早く商品情報の表示を変更できるようにする。【解決手段】商品情報表示装置１１１は、店舗で陳列される商品１０３の商品情報が表示される表示パネル１１２に、タッチパネル１１３が積層配置されて構成されている。商品情報表示装置１１１は、認証カード１１５に記憶された管理者情報がＲＦＩＤリーダ１１４に読み取られた場合、タッチパネル１１３へのタッチ指定があっても表示パネル１１２の表示内容が変更されない通常モードから、タッチパネル１１３へのタッチ指定によって表示パネル１１２の表示内容の切替が可能になる変更モードにモード設定される。変更モードにある状態でタッチパネル１１３がタッチ指定されると、表示パネル１１２のタッチ指定座標に対応する商品情報表示領域１１７の表示内容は、商品情報１１８のみの通常表示と、商品情報１１８とともに売切情報１１９を表示する特殊表示との間で切り替わる。【選択図】図１
2010266878.tif 000002
【特許請求の範囲】
【請求項１】
商品情報を表示する商品情報表示領域を含む表示部と、
前記表示部に積層配置され、タッチ指定により入力部としての役割を果たすタッチパネルと、
前記表示部に表示されている表示内容の変更を許容する変更モードであることを表示する表示手段と、
前記表示手段により前記変更モードが表示されている状態で、前記タッチパネルに対するタッチ指定に応じて前記商品情報表示領域に商品情報のみを表示する通常表示、及び、当該商品情報表示領域に商品情報とともに特殊情報を表示する特殊表示のいずれか一を行う表示変更手段と、
を備える、商品情報表示装置。
【請求項２】
前記表示変更手段は、前記表示手段により前記変更モードが表示されている状態で、前記商品情報領域に対してタッチ指定されると、前記商品情報表示領域に商品情報とともに当該商品情報に関する特殊情報を表示する特殊表示を表示していない場合には、前記商品情報表示領域に前記特殊表示を表示し、前記商品情報表示領域に前記特殊表示を表示している場合には、商品情報のみが表示される通常表示に変更する、
請求項１記載の商品情報表示装置。
【請求項３】
商品情報を表示する商品情報表示領域を含む表示部と、
前記表示部に積層配置され、タッチ指定により入力部としての役割を果たすタッチパネルと、
前記表示部に表示されている表示内容の変更を許容する変更モードであるか表示内容の変更を許容しない通常モードであるかを表示するモード表示部と、
前記モード表示部で前記変更モードを表示している状態で、商品情報のみが表示されている前記商品情報表示領域に対してタッチ指定されると、記商品情報表示領域に前記商品情報のみを表示する通常表示及び前記商品情報表示領域に前記商品情報とともに当該商品情報に関する特殊情報を表示する特殊表示のいずれを行うかを選択させるメニュー項目を前記商品情報表示領域に表示し、前記タッチパネルに対するタッチ指定により選択された前記メニュー項目に応じて、前記商品情報表示領域に前記通常表示、及び、前記特殊表示のいずれか一を行う表示変更手段と、
を備える、商品情報表示装置。
【請求項４】
前記特殊情報は、商品の使用上の注意を促す注意情報と、商品価格が割引になることを示す割引情報と、商品が非売品であることを示す非売品情報と、販売期間限定商品であることを示す販売期間限定情報と、店舗からのメッセージを示す店舗メッセージ情報と、店員に商品価格を尋ねるよう促す価格相談指示情報と、商品が売り切れていることを示す売切情報と、の少なくとも一を含む、請求項１または３記載の商品情報表示装置。
【発明の詳細な説明】
【技術分野】
【０００１】
本発明は、各種の販売店に導入される、販売商品に関する商品情報を表示する商品情報表示装置に関する。
【背景技術】
【０００２】
近年、スーパーマーケットやコンビニエンスストアなどの各種の販売店に設置される商品陳列棚に電子式の商品情報表示装置を取り付け、商品陳列棚に陳列した商品の商品名や販売価格などの商品情報をこの商品情報表示装置に表示することが行われている（例えば、特許文献１）。
【０００３】
特許文献１に記載されている電子式値札表示装置には、正面にキー等の操作部が設けられ、この操作部からの操作に応じて表示メッセージが切り替わる。また、この特許文献１に記載されている電子式値札表示装置では、表示部に表示されている複数のメッセージが定期的に切り替わり、正面に設けられているキーの操作に応じて表示部に表示されるメッセージが変化する。
【発明の概要】
【発明が解決しようとする課題】
【０００４】
商品情報表示装置には、商品陳列棚に陳列されている商品の状況に応じた表示内容が表示されている必要がある。例えば、商品陳列棚に陳列されている商品がなくなった場合、商品情報表示装置には「売り切れ」の表示がなされている必要がある。しかし、表示内容を迅速に変更するために商品情報表示装置に操作部を設けた場合、店員だけでなく、顧客を含む様々な人が商品情報表示装置の表示部に表示されている表示内容を変更することが可能になってしまい、いたずら等によって表示部の表示内容が切り替えられて、商品陳列棚に陳列されている商品の状況が適切に示されなくなってしまうおそれがある。
【０００５】
本発明の目的は、素早く商品情報の表示を変更できるようにすることである。
【課題を解決するための手段】
【０００６】
本発明の商品情報表示装置は、商品情報を表示する商品情報表示領域を含む表示部と、前記表示部に積層配置され、タッチ指定により入力部としての役割を果たすタッチパネルと、前記表示部に表示されている表示内容の変更を許容する変更モードであることを表示する表示手段と、前記表示手段により前記変更モードが表示されている状態で、前記タッチパネルに対するタッチ指定に応じて前記商品情報表示領域に商品情報のみを表示する通常表示、及び、当該商品情報表示領域に商品情報とともに特殊情報を表示する特殊表示のいずれか一を行う表示変更手段と、を備える。
【０００７】
別の面から見た本発明の商品情報表示装置は、商品情報を表示する商品情報表示領域を含む表示部と、前記表示部に積層配置され、タッチ指定により入力部としての役割を果たすタッチパネルと、前記表示部に表示されている表示内容の変更を許容する変更モードであるか表示内容の変更を許容しない通常モードであるかを表示するモード表示部と、前記モード表示部で前記変更モードを表示している状態で、商品情報のみが表示されている前記商品情報表示領域に対してタッチ指定されると、記商品情報表示領域に前記商品情報のみを表示する通常表示及び前記商品情報表示領域に前記商品情報とともに当該商品情報に関する特殊情報を表示する特殊表示のいずれを行うかを選択させるメニュー項目を前記商品情報表示領域に表示し、前記タッチパネルに対するタッチ指定により選択された前記メニュー項目に応じて、前記商品情報表示領域に前記通常表示、及び、前記特殊表示のいずれか一を行う表示変更手段と、を備える。
【発明の効果】
【０００８】
本発明によれば、素早く商品情報の表示を変更できるようにすることができる。
【図面の簡単な説明】
【０００９】
【図１】図１は、第一の実施の形態において、商品情報表示システムの全体を示す外観斜視図である。
【図２】図２は、商品情報表示装置の表示内容を切り替える操作の手順を示す説明図である。
【図３】図３は、商品情報表示システムの電気的構成を示すブロック図である。
【図４】図４は、モード切替処理の流れを示すフローチャートである。
【図５】図５は、表示切替処理の流れを示すフローチャートである。
【図６】図６は、第二の実施の形態において、表示切替処理の流れを示すフローチャートである。
【図７】図７は、第三の実施の形態において、商品情報表示装置の表示内容を切り替える操作の手順を示す説明図である。
【図８】図８は、第四の実施の形態において、商品情報表示システムの全体を示す外観斜視図である。
【図９】図９は、商品情報表示システムの電気的構成を示すブロック図である。
【図１０】図１０は、モード切替処理及びモード設定処理の流れを示すフローチャートである。
【図１１】図１１は、表示切替処理の流れを示すフローチャートである。
【発明を実施するための形態】
【００１０】
本発明の実施の一形態（第一の実施の形態）について、図１ないし図５に基づいて説明する。本実施の形態で紹介する商品情報表示システム１０１は、複数種類の商品情報を表示できる長尺の表示部にタッチパネルを積層配置した商品情報表示装置を備えて構成される。そして、商品情報表示装置のタッチパネルをタッチ指定することで、表示部に表示されている商品情報のうちタッチ指定座標に対応する商品情報の変更が可能である。
【００１１】
図１は、商品情報表示システム１０１の全体を示す外観斜視図である。店舗の商品売場には、図１に示すような、商品陳列棚１０２が設置されている。商品陳列棚１０２は、複数種類の商品１０３を載置可能な陳列台１０４と、陳列台１０４の奥側端に立設する背板１０５と、背板１０５の最上端から商品陳列棚１０２の前方に突出する天井板１０６と、商品陳列棚１０２の側面をなす一対の側板１０７とにより構成されている。商品陳列棚１０２の前方は開口しており、その内部には陳列台１０４と背板１０５と天井板１０６と一対の側板１０７とに囲まれる商品陳列空間１０８が形成されている。
【００１２】
陳列台１０４の上面には、商品情報表示装置１１１がその表示面を正面に向けて立設されている。また、陳列台１０４の右側面には、ＲＦＩＤリーダ１１４が取り付けられている。また、陳列台１０４の内部には、マイクロコンピュータ１５１（図３参照）が収納されている。商品情報表示装置１１１とＲＦＩＤリーダ１１４とマイクロコンピュータ１５１は、商品情報表示システム１０１を構成している。
【００１３】
商品情報表示装置１１１の後方には、仕切板１０９が配置されている。仕切板１０９は、陳列台１０４の上面に、商品陳列空間１０８を五等分するように側板１０７と平行に四枚突設されている。四枚の仕切板１０９によって仕切られることにより、陳列台１０４の上面には、商品１０３を種類別に陳列可能な五列の商品載置列１１０が形成される。図１中、陳列台１０４の上面の最も左側には、ハンドクリームが陳列される第１商品載置列１１０ａが形成されており、それより右側には、化粧水が陳列される第２商品載置列１１０ｂ、洗顔クリームが陳列される第３商品載置列１１０ｃ、口紅が陳列される第４商品載置列１１０ｄ、化粧落としが陳列される第５商品載置列１１０ｅが順次形成されている。なお、図１に示す例では、第２商品載置列１１０ｂに陳列されるべき化粧水は売り切れとなっている。そのため、図１中、第２商品載置列１１０ｂには何も陳列されていない。
【００１４】
商品情報表示装置１１１は、表示部としての役割を果たす長尺の矩形形状の液晶表示方式の表示パネル１１２の表示面に、入力部としての役割を果たすタッチパネル１１３が積層配置されて構成され、商品陳列空間１０８の幅一杯に設けられている。表示パネル１１２の表示面には、各商品載置列１１０に対応する位置に五つの商品情報表示領域１１７が予め設定されている。そして、それぞれの商品情報表示領域１１７には、各商品載置列１１０に陳列される商品１０３に関する、商品名や販売価格等を示す商品情報１１８が表示される。
【００１５】
図１中、第１商品載置列１１０ａ〜第５商品載置列１１０ｅのそれぞれに対応する商品情報表示領域１１７には、商品情報１１８として、「ハンドクリーム  ￥９００−」、「化粧水  ￥１，８００−」、「洗顔クリーム  ￥１，２８０−」、「口紅  ￥１，６８０−」、「化粧落とし  ￥３，２００−」が表示されている。さらに、第２商品載置列１１０ｂに対応する商品情報表示領域１１７には、商品１０３（化粧水）に関する情報を示す特殊情報１２５が表示されている。特殊情報１２５とは、商品陳列棚１０２に陳列されている商品１０３に関する情報を示すための画像である。本実施の形態の商品情報表示システム１０１では、特殊情報１２５として売切情報１１９が採用されている。売切情報１１９は、左下から右上にのびる矩形図形の内部に「売り切れ」というテキストが描かれて構成される画像である。この売切情報１１９は、マイクロコンピュータ１５１の行う処理によって、商品情報１１８の上層にレイヤ合成された状態で、商品情報１１８とともに表示される。
【００１６】
ＲＦＩＤリーダ１１４は、店員が所持している認証カード１１５に埋設されたＲＦＩＤタグ１１６とＲＦＩＤ通信を実行し、ＲＦＩＤタグ１１６に記憶されている管理者情報を読み取って情報処理部としてのマイクロコンピュータ１５１に入力する。マイクロコンピュータ１５１は、管理者情報が入力された場合、表示パネル１１２の表示内容を変更する権限の認証がなされたとして、商品情報表示装置１１１を通常モードから変更モードにモード設定する。すなわち、ＲＦＩＤリーダ１１４は、認証部としての役割を果たす。通常モード及び変更モードについては、図２に基づいて説明する。
【００１７】
図２は、商品情報表示装置１１１の表示内容を切り替える操作の手順を示す説明図である。商品情報表示装置１１１を構成する表示パネル１１２の表示面には、上下左右のいずれの端部にマージンを設けた上で、商品情報表示領域１１７を規定する横並び方向に並ぶ五つの矩形罫線１２０が描かれている。表示パネル１１２の表示面における上下左右の端部のマージンは、商品情報表示装置１１１のモードを示すモード表示部１２１となっている。モード表示部１２１は、商品情報表示装置１１１が変更モードにモード設定されている場合には緑色に表示されており（図２（ｂ）〜（ｄ）、（ｆ））、商品情報表示装置１１１が通常モードに設定されている場合には白色に表示されている（図２（ａ）、（ｅ））。ここで、変更モードとは、タッチパネル１１３のタッチ指定することで表示パネル１１２の表示内容を変更できる状態のことをいう。また、通常モードとは、タッチパネル１１３をタッチ指定しても表示パネル１１２の表示内容が変更されない状態をいう。
【００１８】
商品情報表示装置１１１は、電源投入時には通常モードに設定されている（図２（ａ））。この状態で、認証カード１１５がＲＦＩＤリーダ１１４にかざされると、ＲＦＩＤリーダ１１４は、ＲＦＩＤタグ１１６に記憶されている管理者情報を読み取り、この読取によって商品情報表示装置１１１の表示内容を変更する権限を有する者であるという認証が成立し、商品情報表示装置１１１は変更モードにモード設定される（図２（ｂ））。
【００１９】
変更モードにモード設定されている状態で、一の商品情報表示領域１１７がタッチ指定された場合（図２（ｂ））、その商品情報表示領域１１７には、表示内容を選択決定するためのポップアップメニュー１２２が表示される（図２（ｃ））。ポップアップメニュー１２２には、メニュー項目としての複数のメニューボタン１２２ａが含まれている。メニューボタン１２２ａとは、図２（ｃ）に示す、商品情報表示領域１１７に商品情報１１８のみを表示させるための通常表示ボタン１２３、及び、商品情報表示領域１１７に商品情報１１８とともに売切情報１１９を表示させるための売切情報表示ボタン１２４である。ここで、通常表示ボタン１２３がタッチ指定された場合、商品情報表示領域１１７の表示内容は、商品情報１１８のみが表示される通常表示となる（図２（ｂ））。また、売切情報表示ボタン１２４がタッチ指定された場合、商品情報表示領域１１７の表示内容は、商品情報１１８とともに売切情報１１９が表示される特殊表示となる（図２（ｄ））。なお、商品情報表示領域１１７の表示内容の変更は、個々の商品情報表示領域１１７で別個独立に行われる。例えば、図２（ｃ）に示すように「化粧水」に対応する商品情報表示領域１１７にポップアップメニュー１２２が表示されている状態で「口紅」に対応する商品情報表示領域１１７の部分がタッチ指定された場合、この「口紅」に対応する商品情報表示領域１１７にはポップアップメニュー１２２が表示されることになる（図２（ｆ））。
【００２０】
商品情報表示装置１１１の表示内容の変更後、再び認証カード１１５がＲＦＩＤリーダ１１４にかざされると、商品情報表示装置１１１は通常モードにモード設定され（図２（ｅ））、これ以降にタッチパネル１１３をタッチ指定してもポップアップメニュー１２２が表示されたり表示パネル１１２の表示内容が変更されたりすることはなくなる。
【００２１】
図３は、商品情報表示システム１０１の電気的構成を示すブロック図である。商品情報表示システム１０１は、情報処理部としてのマイクロコンピュータ１５１を備える。１５１は、演算処理を実行するＣＰＵ１５２とデータを固定的に記憶するＲＯＭ１５３とデータを書換自在に記憶するＲＡＭ１５４とを備えて構成されている。マイクロコンピュータ１５１は、各種の入出力回路（図示せず）を介して、表示パネル１１２とタッチパネル１１３とＲＦＩＤリーダ１１４と通信インタフェイス１５５とに接続し、これら各部を駆動制御する。通信インタフェイス１５５は、店舗内に配設されるＬＡＮネットワークに接続する他の情報処理機器とマイクロコンピュータ１５１とのデータ通信を実現する。
【００２２】
また、マイクロコンピュータ１５１は、データを書換自在に記憶する不揮発性のフラッシュメモリ１５６にも接続している。フラッシュメモリ１５６には、商品コードに商品名や商品単価等の商品情報を対応付けて格納している商品データファイルＦ１と、売切情報１１９やポップアップメニュー１２２を構成する通常表示ボタン１２３及び売切情報表示ボタン１２４等の各種の画像を格納している画像ファイルＦ２とが記憶されている。さらに、フラッシュメモリ１５６には、ＯＳ、ドライバ、アプリケーションプログラムをはじめとする各種のプログラムも記憶されている。このアプリケーションプログラムには、マイクロコンピュータ１５１が実行するモード切替処理（図４参照）及び表示切替処理（図５参照）の処理内容も記述されている。マイクロコンピュータ１５１は、機器の起動時にＯＳ、ドライバ、アプリケーションプログラムの全部又は一部をＲＡＭ１５４に読込み、これらのプログラムの記述に従った処理を実行する。
【００２３】
図４は、モード切替処理の流れを示すフローチャートである。マイクロコンピュータ１５１は、機器の起動中、モード切替処理を実行し、ＲＦＩＤリーダ１１４が認証カード１１５のＲＦＩＤタグ１１６に記憶されている管理者情報を読み取ることを待機している（ステップＳ１０１）。なお、電源投入時におけるマイクロコンピュータ１５１は、通常モードにモード設定されている。ＲＦＩＤリーダ１１４が管理者情報を読み取ったと判定した場合（ステップＳ１０１のＹ）、マイクロコンピュータ１５１は、通常モードから変更モードにモード設定する（ステップＳ１０２）。ステップＳ１０２では、マイクロコンピュータ１５１は、表示パネル１１２を制御して、モード表示部１２１の表示を白色から緑色に変化させる処理も実行する。ステップＳ１０２の処理に続き、マイクロコンピュータ１５１は、次に述べる表示切替処理に処理を移行する。
【００２４】
図５は、表示切替処理の流れを示すフローチャートである。マイクロコンピュータ１５１は、機器の起動中、表示切替処理を実行している。表示切替処理は、マイクロコンピュータ１５１が変更モードにモード設定していることを前提とする。このモード設定状態で、マイクロコンピュータ１５１は、タッチパネル１１３に対するタッチ指定及びＲＦＩＤリーダ１１４の管理者情報の読取のいずれかを待機している（ステップＳ２０１〜ステップＳ２０２）。
【００２５】
ステップＳ２０１〜ステップＳ２０２において、タッチパネル１１３に対するタッチ指定があったと判定した場合（ステップＳ２０１のＹ）、マイクロコンピュータ１５１は、タッチ指定座標に対応する表示パネル１１２の表示に応じた処理を実行する。より詳細には、ポップアップメニュー１２２が表示されていない商品情報表示領域１１７がタッチ指定されたと判定した場合（ステップＳ２０３のＹ）、マイクロコンピュータ１５１は、その商品情報表示領域１１７にポップアップメニュー１２２（図２参照）を表示して、処理をステップＳ２０１に戻す。これに対し、すでに表示されているポップアップメニュー１２２に含まれる売切情報表示ボタン１２４がタッチ指定されたと判定した場合（ステップＳ２０３のＮ、ステップＳ２０５のＹ）、マイクロコンピュータ１５１は、タッチ指定座標に対応する商品情報表示領域１１７に表示されているポップアップメニュー１２２を消去した上で、そこに、商品情報１１８とともに売切情報１１９を表示し（ステップＳ２０６）、処理をステップＳ２０１に戻す。これに対し、すでに表示されているポップアップメニュー１２２に含まれる通常表示ボタン１２３がタッチ指定されたと判定した場合（ステップＳ２０３のＮ、ステップＳ２０５のＮ）、マイクロコンピュータ１５１は、タッチ指定座標に対応する商品情報表示領域１１７に表示されているポップアップメニュー１２２を消去した上で、そこに、商品情報１１８のみを表示して（ステップＳ２０７）、処理をステップＳ２０１に戻す。
【００２６】
一方、ステップＳ２０１〜ステップＳ２０２において、ＲＦＩＤリーダ１１４が管理者情報を読み取ったと判定した場合（ステップＳ２０１のＮ、ステップＳ２０２のＹ）、マイクロコンピュータ１５１は、商品情報表示装置１１１を変更モードから通常モードにモード設定する（ステップＳ２０８）。ステップＳ２０８では、マイクロコンピュータ１５１は、表示パネル１１２を制御して、モード表示部１２１の表示を緑色から白色に変化させる処理も実行する。
【００２７】
ステップＳ２０８の処理を実行した後、マイクロコンピュータ１５１は、モード切替処理（図４参照）に処理を移行する。
【００２８】
以上に述べたように構成される本実施の形態の商品情報表示システム１０１では、認証カード１１５による認証の成立した場合にのみ、タッチパネル１１３に対するタッチ指定によって、商品情報表示装置１１１に表示されている表示内容を、商品情報１１８のみを表示する通常表示から、商品情報１１８とともに特殊情報としての売切情報１１９を表示する特殊表示に切り替えることが可能になる。このため、店舗の店員は、個々に認証カード１１５を所持し、商品陳列棚１０２に陳列されている商品１０３の状況を見て必要に応じてＲＦＩＤリーダ１１４に認証カード１１５をかざすことで、商品情報表示装置１１１に表示されている商品情報１１８の表示を素早く変更することができる。また、本実施の形態の商品情報表示システム１０１では、認証カード１１５を所持していない店員以外の者（例えば、顧客）では、商品情報表示装置１１１を変更モードにモード設定することができないため、商品情報表示装置１１１に表示されている商品情報の表示を変更することができない。
【００２９】
商品情報表示装置１１１に表示されている表示内容を変更する操作の一例を以下に示す。店員は、商品載置列１１０ａ〜１１０ｅの中のある一列に陳列されていた商品１０３がなくなった場合、認証カード１１５をＲＦＩＤリーダ１１４にかざして、商品情報表示装置１１１を通常モードから変更モードにモード設定する。店員は、変更モードにモード設定されたかどうかを、表示パネル１１２を縁取っているモード表示部１２１が緑色に表示されたことによって知ることができる。変更モードにモード設定されたことを確認した後に、店員は、商品１０３が無くなった商品載置列（１１０ａ〜１１０ｅのいずれか一列）に対応する商品情報表示領域１１７をタッチ指定する。このタッチ指定によって、タッチ指定座標に対応する商品情報表示領域１１７には、ポップアップメニュー１２２が表示される。続いて、店員は、ポップアップメニュー１２２に含まれる売切情報表示ボタン１２４をタッチ指定する。このタッチ指定によって、タッチ指定された商品情報表示領域１１７には、商品情報１１８とともに売切情報１１９が表示される。また、売切情報１１９が表示されている商品情報表示領域１１７をタッチ指定した場合、そのタッチ指定された商品情報表示領域１１７にはポップアップメニュー１２２が表示される。そして、店員は、表示されたポップアップメニュー１２２に含まれる通常表示ボタン１２３をタッチ指定することにより、一旦表示した売切情報１１９を表示させなくして商品情報１１８のみの表示にすることができる。
【００３０】
このように、本実施の形態の商品情報表示システム１０１によれば、店員は、（１）タッチパネル１１３をタッチ指定して売切情報１１９を表示させたい商品情報表示領域１１７にポップアップメニュー１２２を表示させ、続けて、（２）売切情報表示ボタン１２４をタッチ指定する、というタッチ指定を二回行うという操作を行い、素早く商品情報表示領域１１７に売切情報１１９を表示させることができる。また、店員は、売切情報１１９を表示させたい全ての商品情報表示領域１１７について売切情報１１９を表示させた後、認証カード１１５をＲＦＩＤリーダ１１４にかざし、商品情報表示装置１１１を通常モードにモード設定することで、売切情報１１９の表示切替を確定することができる。そして、これ以降タッチパネル１１３がタッチされても、商品情報表示装置１１１に表示されている表示内容が変更されることはない。
【００３１】
また、本実施の形態では、売切情報１１９は商品情報１１８とともに表示されるため、売り切れていない状態を示す画像と売り切れている状態を示す画像とを各商品１０３についてそれぞれ用意する必要がない。
【００３２】
なお、本実施の形態（第一の実施の形態）に対する別の実施の形態として、ＲＦＩＤリーダ１１４の代わりにテンキーを設け、モード切替処理（図４参照）中、予め定められた暗証番号が入力された場合に認証が成立したとして通常モードから変更モードにモード設定されるようにしてもよい。また、ＲＦＩＤリーダ１１４の代わりに店員のみが所有する鍵を用いてその鍵が挿入された場合にのみ回すことができるスイッチを設け、モード切替処理（図４参照）中、スイッチが回された場合に認証が成立したとして通常モードから変更モードにモード設定されるようにしてもよい。そして、商品情報表示装置１１１を変更モードから通常モードにモード設定する処理（図５のステップＳ２０８）は、認証カード１１５による認証が成立した場合の他にも、このような暗証番号の入力や鍵によるスイッチの回動をトリガにしてもよいし、変更モードにモード設定された時点から所定時間（例えば、１０秒間）が経過した時点で通常モードにモード設定されるようにしてもよい。
【００３３】
次いで、本発明の別の実施の形態（第二の実施の形態）について、図６に基づいて説明する。この場合、第一の実施の形態と同一の部分は同一の符号を用い、説明も省略する。本実施の形態の商品情報表示システム１０１では、ポップアップメニュー１２２は表示されず、商品情報表示領域１１７をタッチすることにより売切情報１１９の表示非表示が切り替わる。
【００３４】
図６は、表示切替処理の流れを示すフローチャートである。本実施の形態の商品情報表示システム１０１において行われる表示切替処理では、タッチパネル１１３に対するタッチ指定があった場合（ステップＳ２０１のＹ）、タッチ指定された商品情報表示領域１１７に売切情報１１９が表示されていない場合には売切情報１１９が商品情報１１８とともに表示される特殊表示に切り替え、売切情報１１９が表示されている場合にはその売切情報１１９が消えて商品情報１１８のみが表示される通常表示に切り替える、切替処理が行われる（ステップＳ２０９）。
【００３５】
本実施の形態の商品情報表示システム１０１によれば、タッチパネル１１３を一回タッチするだけで売切情報１１９が表示されるため、店員は、第一の実施の形態の商品情報表示システム１０１よりもさらに素早く、商品情報表示システム１０１の表示を変更できるようにすることができる。
【００３６】
次いで、本発明のさらに別の実施の形態（第三の実施の形態）について、図７に基づいて説明する。この場合、第一の実施の形態と同一の部分は同一の符号を用い、説明も省略する。本実施の形態の商品情報表示システム１０１では、商品情報表示領域１１７をタッチ指定することによって売切情報１１９の表示非表示を切り替えるのみならず、商品陳列棚１０２に陳列される商品１０３に関する様々な特殊情報を切り替え表示することができる。
【００３７】
図７は、商品情報表示装置１１１の表示内容を切り替える操作の手順を示す説明図である。本実施の形態の画像ファイルＦ２には、図７（ｂ）〜（ｉ）に示す各種の特殊情報１２５が格納されている。本実施の形態において、特殊情報１２５には、注意情報１２６と、割引情報１２７と、非売品情報１２８と、販売期間限定情報１２９と、店舗メッセージ情報１３０と、価格相談指示情報１３１と、売切情報１１９とが含まれている。ここで、注意情報１２６は、商品１０３の使用上の注意を促す画像である。また、割引情報１２７は、商品価格が割引になることを示す画像である。また、非売品情報１２８は、商品１０３が非売品であることを示す画像である。また、販売期間限定情報１２９は、販売期間限定商品であることを示す画像である。また、店舗メッセージ情報１３０は、店舗からのメッセージを示す画像である。また、価格相談指示情報１３１は、店員に商品価格を尋ねるよう促す画像である。
【００３８】
また、本実施の形態において、商品情報１１８のみが表示されている商品情報表示領域１１７（図７（ａ））に対してタッチパネル１１３からのタッチ指定がなされると、この商品情報表示領域１１７には、縦四行横二列のメニューボタン１２２ａで構成されたポップアップメニュー１２２が表示される。これらのメニューボタン１２２ａは、図７（ｂ）に示すように、注意情報１２６を表示させるための注意情報表示ボタン１３２、割引情報１２７を表示させるための割引情報ボタン１３３、非売品情報１２８を表示させるための非売品情報ボタン１３４、販売期間限定情報１２９を表示させるための販売期間限定情報ボタン１３５、店舗メッセージ情報１３０を表示させるための店舗メッセージ情報ボタン１３６、価格相談指示情報１３１を表示させるための価格相談指示情報ボタン１３７、売切情報１１９を表示させるための売切情報表示ボタン１２４、及び、商品情報１１８のみを表示させるための通常表示ボタン１２３である。なお、これらのメニューボタン１２２ａも、画像ファイルＦ２に格納されている。そして、タッチパネル１１３から商品情報表示領域１１７に表示されたポップアップメニュー１２２に対するタッチ指定がなされた場合、図７（ｃ）〜（ｉ）に示すように、タッチ指定座標に対応する商品情報表示領域１１７に表示されている商品情報１１８とともに、タッチ指定されたメニューボタン１２２ａに対応する特殊情報１２５が表示される。
【００３９】
なお、図７（ｄ）中、商品情報表示領域１１７の右上には、上から順に、割引率設定ボタン１３８、均一価格設定ボタン１３９が表示されている。割引率設定ボタン１３８がタッチ指定された場合、図７（ｄ）に示されている割引情報１２７の数値は、所定間隔で変化する。このため、割引率設定ボタン１３８を繰り返しタッチ指定することで、割引情報１２７に表示される割引率を変化させることができる。また、割引情報ボタン１３３がタッチ指定された場合、商品情報表示領域１１７には、図７（ｄ）に示されている「１０％ＯＦＦ！」というような割引情報１２７の代わりに、「１００円均一」というような均一価格で販売を行うことを示す画像（図示せず）が表示される。
【００４０】
また、図７（ｆ）中、商品情報表示領域１１７の右上には、期間切替ボタン１４０が表示されている。この期間切替ボタン１４０がタッチ指定された場合、図７（ｆ）に示されている販売期間限定情報１２９の表示は、「日替わり情報」、「週替わり商品」、「今月の一押し商品」の順に循環して切り替わる。
【００４１】
本実施の形態の商品情報表示システム１０１によれば、商品陳列棚１０２に陳列された商品情報１１８が売り切れた場合だけでなく、予め設定しておいた各種のメッセージを商品情報表示装置１１１に表示したい場合などの特殊な事情が生じた場合にも、タッチパネル１１３をタッチ指定するだけで簡単に商品情報表示装置１１１の表示内容を変更することができる。
【００４２】
なお、本実施の形態（第三の実施の形態）に対する別の実施の形態として、表示切替処理（図５参照）中、一旦ある商品情報表示領域１１７内で一のメニューボタン１２２ａ（例えば、価格相談指示情報ボタン１３７）がタッチ指定された後に別の商品情報表示領域１１７がタッチ指定された場合、マイクロコンピュータ１５１は、ポップアップメニュー１２２を表示することなく、最後にタッチ指定されたメニューボタン１２２ａに対応する特殊情報１２５（この場合、価格相談指示情報１３１）を表示させるようにしてもよい。このようにすることで、複数の商品情報表示領域１１７に同一の特殊情報１２５を表示させる場合、タッチパネル１１３をタッチ指定する回数が少なくなり、店員は、一層素早く商品情報の表示を変更できるようにすることができる。
【００４３】
次いで、本発明のさらに別の実施の形態（第四の実施の形態）について、図８ないし図１１に基づいて説明する。この場合、第一の実施の形態と同一の部分は同一の符号を用い、説明も省略する。
【００４４】
図８は、商品情報表示システム１０１の全体を示す外観斜視図である。図９は、商品情報表示システム１０１の電気的構成を示すブロック図である。本実施の形態の商品情報表示システム１０１における商品情報表示装置１１１は、各商品載置列１１０ａ〜１１０ｅに対応付けて個別に設置可能な小型のものである。以下、第１商品載置列１１０ａの前方に設置される商品情報表示装置１１１を商品情報表示装置１１１ａ、第２商品載置列１１０ｂの前方に設置される商品情報表示装置１１１を商品情報表示装置１１１ｂ、…、第５商品載置列１１０ｅの前方に設置される商品情報表示装置１１１を商品情報表示装置１１１ｅとする。これらの小型の商品情報表示装置１１１ａ〜１１１ｅはいずれも、表示部としての表示パネル１１２に入力部としてのタッチパネル１１３を積層配置して構成されている。さらに、本実施の形態の商品情報表示システム１０１では、個々の商品情報表示装置１１１に第１情報処理部としての装置内マイクロコンピュータ１５７が備わっている。それぞれの装置内マイクロコンピュータ１５７には、表示切替処理（図５参照）と、次に述べるモード設定処理（図１０参照）とを実行するためのプログラムが格納されている。
【００４５】
図１０は、モード切替処理及びモード設定処理の流れを示すフローチャートである。本実施の形態においてマイクロコンピュータ１５１が行うモード切替処理では、マイクロコンピュータ１５１は、ＲＦＩＤリーダ１１４での管理者情報の読み取りに応じて、各商品情報表示装置１１１に向けて変更モード信号及び通常モード信号のいずれか一の信号を送信出力する。より詳細には、商品情報表示装置１１１が通常モードにモード設定されている状態で、マイクロコンピュータ１５１は、ＲＦＩＤリーダ１１４が管理者情報を読み取ったと判定した場合（ステップＳ１０１）、商品情報表示装置１１１に向けて変更モード信号を送信出力する（ステップＳ１０３）（図１０（ａ））。また、商品情報表示装置１１１が変更モードにモード設定されている状態で、マイクロコンピュータ１５１は、ＲＦＩＤリーダ１１４が管理者情報を読み取ったと判定した場合（ステップＳ１０４のＹ）、商品情報表示装置１１１に向けて通常モード信号を送信出力する（ステップＳ１０６）（図１０（ｂ））。
【００４６】
各商品情報表示装置１１１に備わる装置内マイクロコンピュータ１５７は、その中に格納されているプログラムの記述に従って、機器の起動中にモード設定処理を実行し、マイクロコンピュータ１５１から送信出力される信号の受信を待機し、商品情報表示装置１１１を受信した信号の種類に応じたモードにモード設定する。より詳細には、装置内マイクロコンピュータ１５７は、商品情報表示装置１１１が通常モードにモード設定されている間に変更モード信号の受信を判定した場合（ステップＳ３０１のＹ）、商品情報表示装置１１１を変更モードにモード設定する（ステップＳ３０２）（図１０（ａ））。また、装置内マイクロコンピュータ１５７は商品情報表示装置１１１が変更モードにモード設定されている間に通常モード信号の受信を判定した場合（ステップＳ３０３のＹ）、商品情報表示装置１１１を通常モードにモード設定する（ステップＳ３０４）（図１０（ｂ））。
【００４７】
図１１は、表示切替処理の流れを示すフローチャートである。本実施の形態では、表示切替処理（図５参照）を実行するためのプログラムは、各商品情報表示装置１１１の装置内マイクロコンピュータ１５７に記憶されている。そして、この装置内マイクロコンピュータ１５７は、商品情報表示装置１１１の起動中、表示切替処理を実行する。この本実施の形態の表示切替処理では、装置内マイクロコンピュータ１５７は、変更モードにモード設定されている間にタッチパネル１１３に対するタッチ指定のみを待機し（ステップＳ４０１）、タッチ指定された箇所に応じた表示内容を表示パネル１１２に表示する（ステップＳ４０３〜ステップＳ４０７）。ステップＳ４０３〜ステップＳ４０７の処理の内容自体は、図５に示したステップＳ２０３〜ステップＳ２０７の処理と同じであるので、説明を省略する。なお、各商品情報表示装置１１１の装置内マイクロコンピュータ１５７は、予めフラッシュメモリ１５６にアクセスして、フラッシュメモリ１５６内の商品データファイルＦ１や画像ファイルＦ２に格納されている各種のデータを装置内マイクロコンピュータ１５７内のＲＡＭ（図示せず）に記憶しておき、ステップＳ４０４、ステップＳ４０６及びステップＳ４０７の処理を行う際に表示パネル１１２に表示する。
【００４８】
本実施の形態の商品情報表示システム１０１によれば、ＲＦＩＤリーダ１１４に認証カード１１５をかざすだけで全ての商品情報表示装置１１１における通常モードと変更モードとが切り替わり、店員等の所定の者だけが素早く商品情報の表示を変更できる。さらに、本実施の形態によれば、商品情報表示装置１１１は各商品載置列１１０ａ〜１１０ｅの前方にそれぞれ設置可能な小型のものであり、商品陳列棚１０２の形状に応じてさまざまな位置に配置することができる。
【００４９】
なお、本実施の形態（第四の実施の形態）に対する別の実施の形態として、各商品情報表示装置１１１（１１１ａ〜１１１ｅ）の表示パネル１１２にタッチパネル１１３を積層配置せずに操作ボタンを設け、この操作ボタンの押下によって各商品情報表示装置１１１に表示される売切情報１１９等の特殊情報１２５を切替表示するようにしてもよい。
【符号の説明】
【００５０】
１０１    商品情報表示システム
１１１    商品情報表示装置
１１２    表示パネル（表示部）
１１３    タッチパネル（入力部）
１１４    ＲＦＩＤリーダ（認証部）
１１７    商品情報表示領域
１１８    商品情報
１１９    売切情報（特殊情報）
１２２ａ  メニューボタン（メニュー項目）
１２５    特殊情報
１２６    注意情報（特殊情報）
１２７    割引情報（特殊情報）
１２８    非売品情報（特殊情報）
１２９    販売期間限定情報（特殊情報）
１３０    店舗メッセージ情報（特殊情報）
１３１    価格相談指示情報（特殊情報）
１５１    マイクロコンピュータ（情報処理部、第２情報処理部）
１５７    装置内マイクロコンピュータ（第１情報処理部）
【先行技術文献】
【特許文献】
【００５１】
【特許文献１】特開平７−７７９４０号公報
【図１】
2010266878.tif 000003
【図２】
2010266878.tif 000004
【図３】
2010266878.tif 000005
【図４】
2010266878.tif 000006
【図５】
2010266878.tif 000007
【図６】
2010266878.tif 000008
【図７】
2010266878.tif 000009
【図８】
2010266878.tif 000010
【図９】
2010266878.tif 000011
【図１０】
2010266878.tif 000012
【図１１】
2010266878.tif 000013